(57)【要約】【課題】照明手段へ給電する構成を低コストで、しかも簡単な作業で行うことが可能となる照明装置を提供する。【解決手段】接続部２５と搭載部２６とを連結インシュレータ２４で間欠的に接続されたターミナル２３により電気的に接続することにより照明装置２２をフレキシブルに構成し、その照明装置２２を介してブロアダイヤル４の第１ランプ１６と電気的に接続された第２ランプ２７をＭＯＤＥダイヤル３、或いはＡ／Ｍダイヤル５に装着するようにした。【選択図】図３
2010089572.tif 000002
【特許請求の範囲】
【請求項１】
外部から給電される第１照明手段と電気的に接続され、その接続状態で給電可能となる第２照明手段が搭載された照明装置であって、
前記第１照明手段と電気的に接続される接続部と、前記第２照明手段が搭載された搭載部とを電気的に接続する一対のターミナルと、
前記一対のターミナルを間欠的に連結する複数の連結インシュレータと、
を備えたことを特徴とする照明装置。
【請求項２】
前記接続部は、前記第１照明手段にワンタッチで電気的に接続されるように構成されていることを特徴とする請求項１記載の照明装置。
【請求項３】
前記搭載部は、前記第２照明手段がワンタッチで搭載されるように構成されていることを特徴とする請求項１または２記載の照明装置。
【発明の詳細な説明】
【技術分野】
【０００１】
本発明は、照明手段への給電経路がフレキシブルな構造の照明装置に関する。
【背景技術】
【０００２】
例えばカーエアコン用の所謂ヒーコンダイヤル装置では、複数のヒーコンダイヤル（ＭＯＤＥ、Ａ／Ｍ、ブロア）を備えている。
【特許文献１】特開２００５−０９６５８２号公報
【発明の開示】
【発明が解決しようとする課題】
【０００３】
ところで、ヒーコンダイヤルは車種毎に配置が異なるのが一般的である（特許文献１参照）。このため、ヒーコンダイヤルのマーク意匠を照明するためのランプに給電用の車両側ハーネスをそれぞれ接続する必要があり、コストが高くなると共に接続作業が面倒であるという問題がある。
【０００４】
本発明は上記事情に鑑みてなされたもので、その目的は、照明手段へ給電する構成を低コストで、しかも簡単な作業で行うことが可能となる照明装置を提供することにある。
【課題を解決するための手段】
【０００５】
本発明の照明装置は、外部から給電される第１照明手段と電気的に接続され、その接続状態で給電可能となる第２照明手段が搭載された照明装置であって、前記第１照明手段と電気的に接続される接続部と、前記第２照明手段が搭載された搭載部とを電気的に接続する一対のターミナルと、前記一対のターミナルを間欠的に連結する複数の連結インシュレータと、を備えたものである（請求項１）。
【０００６】
請求項１記載の照明装置において、前記接続部は、前記第１照明手段にワンタッチで電気的に接続されるように構成されているのが望ましい（請求項２）。
請求項１または２記載の照明装置において、前記搭載部は、前記第２照明手段がワンタッチで搭載されるように構成されているのが望ましい（請求項３）。
【発明の効果】
【０００７】
請求項１の発明によれば、外部から第１照明手段に給電すると、第１照明手段が点灯する。このとき、照明装置において、第１照明手段に接続されたターミナルを通じて搭載部に搭載された第２照明手段に給電されるので、第２照明手段が点灯する。従って、ハーネスを用いることなく第２照明手段に給電することができるので、コストの低減を図ることができる。また、ターミナルは変形可能であるので、第１照明手段と第２照明手段との位置の変更に容易に対応することができる。
【０００８】
請求項２の発明によれば、第１照明手段に照明装置をワンタッチで装着することができるので、作業性が良好である。
請求項３の発明によれば、照明装置に第２照明手段をワンタッチで装着することができるので、作業性が良好である。
【発明を実施するための最良の形態】
【０００９】
以下、本発明をカーエアコン用のヒーコンダイヤル装置に適用した一実施形態について図面を参照して説明する。図２はヒーコンダイヤル装置を示す正面図、図３はヒーコンダイヤル装置を破断して概略的に示す下面図である。ヒーコンダイヤル装置１は、パネル２に、ＭＯＤＥダイヤル３、ブロアダイヤル４、Ａ／Ｍダイヤル５の各ヒーコンダイヤルを取付けて構成されている。これらのダイヤル３〜５は、円筒形状のボデー６〜８の前面にマーク意匠部９〜１１が設けられていると共に、ボデー６〜８を囲繞するようにダイヤルノブ１２〜１４を回動可能に設けて構成されている。
【００１０】
ブロアダイヤル４のボデー７の背面にはランプ回路１５が装着されており、そのランプ回路１５に第１ランプ（第１照明手段に相当）１６が装着されている。ランプ回路１５は、インシュレータ１７に正極ターミナル１８及び負極ターミナル１９を設けて構成されており、第１ランプ１６の装着状態で当該第１ランプ１６の正端子及び負端子（図示せず）と正極ターミナル１８及び負極ターミナル１９とがそれぞれ導通状態となる。第１ランプ１６にはリード線２０が接続されており、図示しない車両用ハーネスと接続されることにより第１ランプ１６に給電可能となると共に、各ターミナル１８，１９への給電経路が形成される。インシュレータ１７の背面には一対の係止部１７ａが立設されており、それらの係止部１７ａに対応して正極ターミナル１８及び負極ターミナル１９の各端部が位置している。係止部１７ａには本発明に係る照明装置２２が装着されている。
【００１１】
図１は、照明装置２２を示す斜視図である。照明装置２２は、一対のターミナル２３、複数の連結インシュレータ２４、接続部２５、搭載部２６とから構成されている。接続部２５は、ブロアダイヤル４のインシュレータ１７の係止部１７ａに装着される。搭載部２６には第２ランプ（第２照明手段に相当）２７が搭載されている。
【００１２】
図４は、第２ランプ２７が搭載される前の照明装置２２の製造方法を示す平面図および側面図である。
（ａ）プレス工程……銅部材、或いは導電性金属を図示形状にプレスする。つまり、一対のターミナル２３を橋架部２３ａで間欠的に連結したはしご形状を形成しており、図示右端部に図示上側に湾曲形成された一対の弾性部２５ａが形成され、図示左端部に一対の半環状部２６ａが形成されている。
【００１３】
（ｂ）インサート成型……例えばＰＢＴによる樹脂成型により連結インシュレータ２４、接続用インシュレータ２５ｂ、搭載用インシュレータ２６ｂをそれぞれ成型する。各ターミナル２３，２３を連結する橋架部２３ａ間に位置する部材が連結インシュレータ２４、図示右端の部材が接続用インシュレータ２５ｂ、図示左端の部材が搭載用インシュレータ２６ｂである。搭載用インシュレータ２６ｂには図示上側に爪部２６ｃが一体に形成されている。この場合、連結インシュレータ２４、接続用インシュレータ２５ｂ、搭載用インシュレータ２６ｂは独立に形成されており、各インシュレータ２４，２５ｂ，２６ｂに対応したゲート（図中にＶ字で示す）を通じて樹脂が注入される。また、接続用インシュレータ２５ｂには孔部２５ｃが形成されており、その孔部２５ｃを一対の弾性部２５ａが囲繞することにより接続部２５が形成されている。搭載用インシュレータ２６ｂには孔部２６ｄが形成されており、その孔部２６ｄに一対の半環状部２６ａの内周部が位置することにより搭載部２６が形成されている。
【００１４】
（ｃ）トリミング工程……ターミナル２３，２３を連結している橋架部２３ａを切断する。
以上のようにして製造した照明装置２２の搭載部２６に第１ランプ１６をワンタッチで装着することにより、図１に示すように照明装置２２が構成されている。
【００１５】
図５は、図４と異なる製造方法を示している。図４と異なる点は、図４（ｂ）のインサート成型工程では、各インシュレータ２４，２５ｂ，２６ｂに対応したゲートを通じて樹脂を注入するようにしたが、図５（ｂ）のインサート成型工程では、１ヶ所のゲート（図中にＶで示す）から樹脂を注することを特徴とする。この場合、各インシュレータ２４，２５ｂ，２６ｂは連結されていることから、図５（ｃ）のトリミング工程では、各インシュレータ２４，２５ｂ，２６ｂを接続している橋架部２４ａを切断する。
【００１６】
さて、ヒーコンダイヤル装置１を組立てる場合は、上述のように製造した照明装置２２に第２ランプ２７を搭載してから、照明装置２２をブロアダイヤル４のボデー７に装着する。つまり、照明装置２２の接続部２５の接続用インシュレータ２５ｂに形成された孔部２５ｃにブロアダイヤル４の一方の係止部１７ａを挿入する。すると、接続用インシュレータ２５ｂから突出している一対の弾性部２５ａが係止部１７ａに対応して位置する正極ターミナル１８及び負極ターミナル１９の端部にそれぞれ接触するので、照明装置２２への通電経路が形成される。
【００１７】
次に、搭載部２６を図６に示すようにＭＯＤＥダイヤル３のボデー６に装着する。つまり、ボデー６の背面中央には孔部６ａが形成されており、その孔部６ａに搭載用インシュレータ２６ｂの爪部２６ｃを押込むと、爪部２６ｃが孔部６ａにワンタッチで係止される。このとき、ブロアダイヤル４とＭＯＤＥダイヤル３とのランプ装着位置が前後方向にずれている場合であっても、照明装置２２の各ターミナル２３，２３は変形可能であるので、第２ランプ２７をＭＯＤＥダイヤル３に確実に且つ簡単に装着することができる。
【００１８】
以上のようにして、照明装置２２を介してブロアダイヤル４の第１ランプ１６と電気的に接続された第２ランプ２７をＭＯＤＥダイヤル３に装着することができる。同様にして、照明装置２２を介してブロアダイヤル４の第１ランプ１６と電気的に接続された第２ランプ２７をＡ／Ｍダイヤル５に装着することができる。従って、車両のスモールランプ或いはヘッドランプを点灯すると、ブロアダイヤル４の第１ランプ１６に給電されて点灯すると同時に、照明装置２２を通じて第２ランプ２７に給電されて点灯するので、各ダイヤルのマーク意匠部９〜１１がランプにより照明される。
【００１９】
このような実施形態によれば、接続部２５と搭載部２６とを連結インシュレータ２４で間欠的に接続されたターミナル２３により電気的に接続することにより照明装置２２をフレキシブルに構成し、その照明装置２２を介してブロアダイヤル４の第１ランプ１６と電気的に接続された第２ランプ２７をＭＯＤＥダイヤル３、或いはＡ／Ｍダイヤル５に装着するようにしたので、各ダイヤルに車両側ハーネスを接続しなければならない従来例のものと違って、第２ランプ２７へ給電する構成を低コストで、しかも簡単な作業で行うことが可能となる。
【００２０】
しかも、照明装置２２の接続部２５をブロアダイヤル４にワンタッチで装着できるようにしたので、作業性が良好である。
また、照明装置２２の搭載部２６に第２ランプ２７をワンタッチで装着できるようにしたので、作業性が良好である。
【００２１】
本発明は、上記実施形態に限定されることなく、次のように変形または拡張できる。
複数のダイヤルのうちの端部に位置するダイヤルのランプに外部から給電し、そのダイヤルから隣接するダイヤルに順に照明装置２２を通じて給電するように構成するようにしてもよい。
照明装置に複数のランプを設け、それらのランプを各ダイヤルの背面に装着するようにしてもよい。
【図面の簡単な説明】
【００２２】
【図１】本発明の一実施形態における照明装置を示す斜視図
【図２】ヒーコンダイヤル装置の正面図
【図３】ヒーコンダイヤル装置を破断して示す下面図
【図４】照明装置の製造方法を説明するための平面図および側面図
【図５】他の製造方法を説明するための図４相当図
【図６】照明ユニットへの接続状態を示す照明装置の側面図
【符号の説明】
【００２３】
図面中、１はヒーコンダイヤル装置、１６は第１ランプ（第１照明手段）、２２は照明装置、２３はターミナル、２４は連結インシュレータ、２５は接続部、２６は搭載部、２７は第２ランプ（第２照明手段）である。
【図１】
2010089572.tif 000003
【図２】
2010089572.tif 000004
【図３】
2010089572.tif 000005
【図４】
2010089572.tif 000006
【図５】
2010089572.tif 000007
【図６】
2010089572.tif 000008